(57)【特許請求の範囲】
【請求項１】
物体側から像側へ向かって、順次、物体側に凸面を向けた正メニスカスレンズ形状の第１レンズと物体側に凸面を向けた負メニスカス形状の第２レンズとが接合され全体として負のパワーを有する第１群、絞り、像側に凸面を向けた正メニスカス形状の第３レンズからなる第２群、像側に凸面を向けた正メニスカス形状の第４レンズからなる第３群、負のパワーを有する第５レンズからなる第４群、両凹レンズの第６レンズからなる第５群で構成された５群６枚構成の画像読取レンズであって、
バックフォーカスすなわちコンタクトガラス上の原稿面を物体面としてこの物体面に合焦したときの最も像面側にあるレンズ面から像面までの距離であって素子の厚みを空気換算した距離をＢＦ、前記画像読取レンズ全長すなわち回転対称軸上における最も物体側の面頂点から最も像側の面頂点までの距離をＬ、前記第１群ｅ線の焦点距離をｆ１、全系のｅ線の合成焦点距離をｆ、前記第５レンズと前記第６レンズとの間の空気間隔をｄ１０とした場合、０．０１＜ＢＦ／Ｌ＜０．１４となる光学系が、条件式（１）及び（２）を満足することを特徴とする画像読取レンズ。
（１）−６．５＜ｆ１／ｆ＜−２．２
（２）０．２０＜ｄ１０／ｆ＜０．５０
【請求項２】
前記絞りは矩形であり、所定の明るさを得るために必要な円形絞りの半径をＲ´としたとき、前記絞りの主走査方向の長さは２Ｒ´であり、前記絞りの副走査方向の長さはπＲ´／２であることを特徴とする請求項１記載の画像読取レンズ。
【請求項３】
前記第６レンズは、プラスチック製であり、前記絞りの主走査方向に長い短冊形状であることを特徴とする請求項１又は２記載の画像読取レンズ。
【請求項４】
原稿を照明する照明系と、前記照明系で照明された原稿の反射光を縮小結像させる結像レンズと、前記結像レンズで結像された原稿の像を光電変換するラインセンサと、を備える画像読取装置において、
前記結像レンズは、請求項１乃至３のいずれかに記載の読取レンズであることを特徴とする画像読取装置。
【請求項５】
前記原稿が定置される原稿台と前記ラインセンサとの間の光路内に色分解機能を有し、前記原稿の情報をフルカラーで読み取ることを特徴とする請求項４記載の画像読取装置。
【請求項６】
前記照明系の光源は、ＬＥＤであることを特徴とする請求項４又は５の画像読取装置。
【請求項７】
画像読取装置によって読み取られた原稿情報に応じて像担持体表面を露光して画像を形成する画像形成装置において、前記画像読取装置は、請求項４乃至６のいずれかに記載の画像読取装置であることを特徴とする画像形成装置。
【発明の詳細な説明】
【技術分野】
【０００１】
本発明は、画像読取レンズ並びに画像読取装置及び画像形成装置に関するものである。この画像読取レンズは、ファクシミリやデジタル複写機の原稿読取部、更に各種のイメージスキャナに使用される画像読取レンズに関するものである。
【背景技術】
【０００２】
ファクシミリやデジタル複写機で使用される画像読取装置は、読み取るべき画像情報を画像読取レンズによって縮小し、ＣＣＤのような固体撮像素子上に結像させることで画像情報を信号化する。また、カラーの原稿情報をカラーで読み取るため、例えば、赤、緑、青のフィルタを持った複数の受光素子が１チップに３列に配列されている、所謂３ラインＣＣＤを用いる。そして、この３ラインＣＣＤの受光面に原稿像を結像させることで３原色に色分解し、カラー画像情報をこのような光学系によって信号化する。
【０００３】
図１は、カラー情報を信号化するための光学系の一例を示す。読み取られるべき画像を有する原稿２は、原稿台としてのコンタクトガラス１上に平面的に定置され、コンタクトガラス１の下部に照明手段３が配置される。更に、紙面手前方向に対し、キセノンランプやハロゲンランプ等の長い管灯及びリフレクタで構成される照明手段３を用い、原稿２の紙面手前方向に長いスリット状部分が照明される。
【０００４】
原稿２の照明された部分の画像からの反射光は、折り返しミラーＭ１、Ｍ２、Ｍ３、Ｍ４、Ｍ５により順次反射され、画像読取レンズ５により、光電変換素子としてのラインセンサ６の撮像面上に原稿画像の縮小像が結像される。
【０００５】
照明手段３、折り返しミラーＭ１、Ｍ２、Ｍ３、Ｍ４、Ｍ５、画像読取レンズ５及び光電変換素子６は、読取光学ユニット７として一体的に保持される。読取光学ユニット７は、図示されない駆動手段により、矢印方向（紙面右方向）へ走行し、破線で示す位置まで変位することで原稿全体の情報を読み取る。
【０００６】
撮像部であるラインセンサ６は、色分解手段として赤（Ｒ）、緑（Ｇ）、青（Ｂ）のフィルタを持った光電変換素子６Ａ、６Ｂ、６Ｃから構成され、１チップに３列に配列させた３ラインＣＣＤ（３ラインのラインセンサ）原稿２の照明走査に伴い、原稿画像を画像信号化する。このようにして原稿２の読み取りが実行され、原稿２のカラー画像は、赤（Ｒ）、緑（Ｇ）、青（Ｂ）の３原色に色分解されて読み取られる。
【０００７】
また、この画像読取装置は、画像をフルカラーで読み取る装置であって、画像読取レンズ５の結像光路中に設けられ、３ラインＣＣＤ６に設けられた赤（Ｒ）、緑（Ｇ）、青（Ｂ）のフィルタ６Ａ、６Ｂ、６Ｃから構成される色分解手段を有する。
【０００８】
なお、上述した色分解方法とは異なる別の方法には、画像読取レンズとラインセンサとの間に色分解プリズムやフィルタを選択的に挿入し、赤（Ｒ）、緑（Ｇ）、青（Ｂ）に色分解する方法がある。また、赤（Ｒ）、緑（Ｇ）、青（Ｂ）の光源を順次点灯させ原稿を照明する方法もある。また、結像光路中に色分解素子を有さず、原稿情報をモノクロとして読み取ることもできる。
【０００９】
また、この画像読取装置は折り返しミラーの枚数を５枚としたが、折り返しミラーの枚数は読取光学ユニット７の大きさ等によって増減することができる。
【００１０】
一般的に、このような光学系に用いられる画像読取レンズは、像面において高空間周波数領域での高いコントラストが要求され、開口効率が画角周辺部まで１００％に近いことが要求される。また、カラー原稿を良好に読み取るためには、受光面上において赤（Ｒ）、緑（Ｇ）、青（Ｂ）の各色の結像位置を光軸方向に合致させる必要があり、各色の色収差を極めて良好に補正しなければならない。更に、光学系の小型化を達成するためには、共役長を短くする必要があり、広画角なレンズが要求される。
【００１１】
従来、このような広画角な読取用レンズとして、特許文献１及び特許文献２に記載された画像読取レンズがある。特許文献１や特許文献２に記載された画像読取レンズでは、その構成枚数が５群５枚構成と比較的少なく、半画角は３０゜前後を達成しているが、共に直交する方向の屈折力が異なる所謂アナモフィックレンズを使用したものである。したがって、加工面での課題が多く、画像読取レンズが高価となる。
【００１２】
また、軸対称非球面を用いた画像読取レンズとして、特許文献３及び特許文献４に記載された画像読取レンズがある。しかし、特許文献３や特許文献４に記載された画像読取レンズでは、半画角が２１．５゜程度と狭く、光学系の共役長が長くなってしまい、小型化を達成できない。
【発明の概要】
【発明が解決しようとする課題】
【００１３】
本発明は、以上のような従来技術の問題点を解決するためになされたもので、５群６枚構成とレンズ構成枚数が比較的少ないにもかかわらず、小型で低コストな画像読取レンズ並びに画像読取装置及び画像形成装置を提供することを目的とする。
【課題を解決するための手段】
【００１４】
本発明に係る画像読取レンズは、
物体側から像側へ向かって、順次、物体側に凸面を向けた正メニスカスレンズ形状の第１レンズと物体側に凸面を向けた負メニスカス形状の第２レンズとが接合され全体として負のパワーを有する第１群、絞り、像側に凸面を向けた正メニスカス形状の第３レンズからなる第２群、像側に凸面を向けた正メニスカス形状の第４レンズからなる第３群、負のパワーを有する第５レンズからなる第４群、両凹レンズの第６レンズからなる第５群で構成された５群６枚構成の画像読取レンズであって、
バックフォーカスすなわちコンタクトガラス上の原稿面を物体面としてこの物体面に合焦したときの最も像面側にあるレンズ面から像面までの距離であって素子の厚みを空気換算した距離をＢＦ、前記画像読取レンズ全長すなわち回転対称軸上における最も物体側の面頂点から最も像側の面頂点までの距離をＬ、前記第１群ｅ線の焦点距離をｆ１、全系のｅ線の合成焦点距離をｆ、前記第５レンズと前記第６レンズとの間の空気間隔をｄ１０とした場合、０．０１＜ＢＦ／Ｌ＜０．１４となる光学系が、条件式（１）及び（２）を満足することを特徴とする。
（１）−６．５＜ｆ１／ｆ＜−２．２
（２）０．２０＜ｄ１０／ｆ＜０．５０
【発明の効果】
【００１５】
本発明によれば、小型化、低コスト化を実現することができる。
【図面の簡単な説明】
【００１６】
【図１】本発明に係る画像読取装置の実施の形態を示す図である。
【図２】本発明に係る画像読取レンズの実施の形態を示す光学配置図である。
【図３】上記画像読取レンズの矩形開口を示す図である。
【図４】上記画像読取レンズの第６レンズの長い短冊形状を示す図である。
【図５】上記画像読取レンズの実施例１の光学配置図である。
【図６】上記画像読取レンズの実施例１の収差図である。
【図７】上記画像読取レンズの実施例２の光学配置図である。
【図８】上記画像読取レンズの実施例２の収差図である。
【図９】本発明に係る画像形成装置の実施の形態を示す図である。
【発明を実施するための形態】
【００１７】
以下、本発明に係る画像読取レンズ並びにこれを用いた画像読取装置及び画像形成装置の実施形態について図面を参照しながら説明する。
【００１８】
＜画像読取レンズ＞
＜第１の実施形態＞
本発明に係る画像読取レンズ５（図１参照）は、図２に示すように、物体側から像面側に向かって、順に、以下の光学素子が配置されることにより構成されている。なお、物体側とは図２の紙面に向かって左側を、像面側は右側をいう。
【００１９】
画像読取レンズ５は、物体側から像側へ向かって、順次、物体側に凸面を向けた正メニスカスレンズ形状の第１レンズＮ１と物体側に凸面を向けた負メニスカス形状の第２レンズＮ２とが接合され全体として負のパワーを有する第１群１０、絞り、像側に凸面を向けた正メニスカス形状の第３レンズＮ３からなる第２群２０、像側に凸面を向けた正メニスカス形状の第４レンズＮ４からなる第３群３０、負のパワーを有する第５レンズＮ５からなる第４群４０、及び、両凹レンズの第６レンズＮ６からなる第５群５０が配置されている。
【００２０】
＜＜条件式（１）について＞＞
画像読取レンズ５は、上記のように複数のレンズ群と絞りが配置された上で、画像読取レンズ５のバックフォーカスすなわちコンタクトガラス上の原稿面を物体面としてこの物体面に合焦したときの最も像面側にあるレンズ面から像面までの距離であって素子の厚みを空気換算した距離をＢＦ、画像読取レンズ５の全長すなわち回転対称軸上における最も物体側の面頂点から最も像側の面頂点までの距離をＬとした場合、０．０１＜ＢＦ／Ｌ＜０．１４となる光学系が、条件式（１）を満たす必要がある。
（１）−６．５＜ｆ１／ｆ＜−２．２
ここで、ｆ１は、第１レンズＮ１と第２レンズＮ２との貼り合わせレンズとしての第１群１０のｅ線の焦点距離である。また、ｆは、全系のｅ線の合成焦点距離である。
【００２１】
条件式（１）は、第１群１０のパワーを定めるものである。上限を超えると球面収差が補正過剰になる。また、下限を超えると球面収差が補正不足となる。いずれの場合もコマ収差が悪化し、結像性能の低下を招く。したがって、良好な性能を得るにはこの条件を満たす必要がある。
【００２２】
＜＜条件式（２）について＞＞
更に、画像読取レンズ５は、条件式（２）を満たす必要がある。
（２）０．２０＜ｄ１０／ｆ＜０．５０
ここで、ｄ１０は、第５レンズＮ５と第６レンズＮ６との間の空気間隔である。
【００２３】
条件式(２)は、第５レンズＮ５と第６レンズＮ６の間の空気間隔を定めるものである。上限を超えると球面収差が補正不足となり、コントラストの低下を招く。また、下限を超えると像面湾曲の補正が難しくなり、像面は平坦さを欠いて、軸外性能の低下を招く。したがって、この条件を満たす必要がある。
【００２４】
以上説明した画像読取レンズの実施形態によれば、上述した第１群、絞り、第２群、第３群、第４群及び第５群で構成される５群６枚構成の画像読取レンズを用いた場合に、条件式（１）及び（２）を満たすことにより、Ｃ線（６５６．２７ｎｍ）からｇ線（４３５．８３ｎｍ）までの広い範囲で軸上の色収差を良好に補正することができる。
【００２５】
また、半画角が３７゜と非常に広角であるにもかかわらず良好に像面湾曲補正がなされ、Ｆナンバが５．６程度と適度な明るさを持ち、開口効率が周辺部まで１００％に近く、諸収差も良好に補正され、高空間周波数領域で高いコントラストの良好な性能が得ることができる。
【００２６】
＜画像読取レンズ＞
＜第２の実施形態＞
本発明に係る画像読取レンズの別の実施形態は、前記第１の実施形態において、絞りが矩形であり、所定の明るさを得るために必要な円形絞りの半径をＲ´としたとき、円形絞りと同等の明るさを得るために必要な矩形の絞りの主走査方向の長さが２Ｒ´であり、副走査方向の長さがπＲ´／２であることを特徴とする。
【００２７】
＜＜主走査方向の定義＞＞
＜＜副走査方向の定義＞＞
主走査方向とは、読取光学ユニット７を走行させる図１の矢印方向と直交する方向（図１の紙面手前方向）をいう。副走査方向とは、主走査方向と直交するラインセンサ６の高さ方向（図１の紙面上方向）をいう。
【００２８】
図３は、本実施形態における、絞りが矩形であり、所定の明るさを得るために必要な円形絞りの半径をＲ´としたとき、円形絞りと同等の明るさを得るために必要な矩形絞りの主走査方向の長さが２Ｒ´であり、副走査方向の長さがπＲ´／２であることを示す図である。
【００２９】
図３に示すように、矩形絞りを上述の大きさに規定することにより、円形絞りと同等の開口面積を得ることができる。したがって、絞りに入射する光量を同等に保つことができる。
【００３０】
また、画角が大きくなるほど、副走査方向のＭＴＦは、画角のコサインの１乗に比例して減衰する。更に、主走査方向のＭＴＦは、画角のコサインの３乗に比例して減衰する。したがって、矩形開口を採用することにより、主走査方向のＭＴＦを上げることができるとともに、主走査方向及び副走査方向におけるＭＴＦのバランスを保つことができる。ここで、ＭＴＦとは、Ｍｏｄｕｌｅ  Ｔｒａｎｓｆｅｒ  Ｆｕｎｃｔｉｏｎ（カットオフ周波数）のことをいう。
【００３１】
以上説明した画像読取レンズの実施形態によれば、矩形絞りの大きさを規定することにより、円形の絞りと同等の開口面積が得られ、絞りに入射する光量を同等に保つことができる。また、矩形開口を採用することにより、主走査方向及び副走査方向におけるＭＴＦのバランスを保つことができる。
【００３２】
＜画像読取レンズ＞
＜第３の実施形態＞
本発明に係る画像読取レンズの更に別の実施形態は、前記第１又は第２の実施形態において、第６レンズＮ６がプラスチック製であって、主走査方向に長い短冊形状であることを特徴とする。
【００３３】
第６レンズＮ６は結像面近傍に配置されるため、ほぼラインセンサ６の長手方向（図１の紙面上方向）と同等の径が必要となる。このため、円形状の場合、レンズ外形が非常に大きくなり、画像読取装置が高さ方向（図１の紙面上方向）に幅を取ることになり、第６レンズＮ６が高コスト化する。そこで、第６レンズＮ６をプラスチック製レンズとすることで、低コスト化を実現することができる。
【００３４】
図４は、第６レンズＮ６の長い短冊形状の例を示す。このように、第６レンズＮ６の外形形状を主走査方向に長い短冊形状とすることで、画像読取レンズ又は画像読取装置の薄型化及び低コスト化を実現することができる。
【００３５】
なお、画像読取装置においては、原稿情報をラインとしてラインセンサ６上に結像させるため、読取レンズの外形形状は光軸に対して回転対称である必要はない。
【００３６】
以上説明した画像読取レンズの実施形態によれば、第６レンズをプラスチック製とし、主走査方向に長い短冊形状とすることで、画像読取レンズの低コスト化及び小型化を実現することができる。
【００３７】
＜本発明に係る画像読取レンズの実施例＞
次に、本発明に係る画像読取レンズの実施例を具体的な数値で示す。各実施例における記号の意味は以下の通りである。
ｆ                  ：全系のｅ線の合成焦点距離
ＦＮｏ              ：Ｆナンバ
ｍ                  ：縮率
Ｙ                  ：物体高
ω                  ：半画角
ＢＦ                ：レンズのバックフォーカス
Ｌ                  ：レンズ全長
Ｒ´                ：所定の明るさ（ＦＮｏ）を得るために必要な円形絞りの半径
ｒｉ(ｉ＝１〜１２)  ：物体側から数えてｉ番目のレンズ面の曲率半径
ｄｉ(ｉ＝１〜１１)  ：物体側から数えてｉ番目の面間隔
ｎｊ(ｊ＝１〜６)    ：物体側から数えてｊ番目のレンズの材料の屈折率
ｖｊ(ｊ＝１〜６)    ：物体側から数えてｊ番目のレンズの材料のアッベ数
ｒｃ１              ：コンタクトガラスの物体側の曲率半径
ｒｃ２              ：コンタクトガラスの像側の曲率半径
ｒｃ３              ：ＣＣＤカバーガラスの物体側の曲率半径
ｒｃ４              ：ＣＣＤカバーガラスの像側の曲率半径
ｄｃ１              ：コンタクトガラスの肉厚
ｄｃ３              ：ＣＣＤカバーガラスの肉厚
ｎｃ１              ：コンタクトガラスの屈折率
ｎｃ３              ：ＣＣＤカバーガラスの屈折率
ｖｃ１              ：コンタクトガラスのアッベ数
ｖｃ３              ：ＣＣＤカバーガラスのアッベ数
ｎｄ                ：ｄ線の屈折率
νｄ                ：ｄ線のアッベ数
ｎｅ                ：ｅ線の屈折率
ｆ１                ：第１群のｅ線の焦点距離
ｄ１０              ：第５レンズと第６レンズとの間の空気間隔
【００３８】
非球面は次式で表す。
Ｘ＝Ｘ１＋Ｘ２
Ｘ１＝(１／Ｒ)×Ｙ２／（１＋ＳＱＲＴ(１−(１＋Ｋ)×(Ｙ／Ｒ)２)）
Ｘ２＝Ａ４×Ｙ４＋Ａ６×Ｙ６＋Ａ８×Ｙ８＋Ａ１０×Ｙ１０
ここで、
Ｘ            ：光軸から高さＹにおける非球面の非球面頂点における接平面からの距離
Ｙ            ：光軸からの高さ
Ｒ            ：非球面の近軸曲率半径
Ｋ            ：円錐乗数
Ａ４、Ａ６、Ａ８、Ａ１０：非球面係数
ＳＱＲＴ      ：平方根の意味
【００３９】
図２は、本発明に係る画像読取レンズの実施の形態を示す光学配置図である。この光学配置図には上記の記号を付してある。以下に説明する各実施例のレンズの収差図及び構成表はこの光学配置図に基づく。
【００４０】
数値例の中で、Ｅ−ＸＹは、１０−ＸＹの意味である。球面収差の図で、波線は正弦条件、非点収差の図で、実線はサジタル光線、点線はメリディオナル光線を示す。
【００４１】
＜実施例１＞
本実施例の構成図を第５図に、収差図を第６図に示す。本実施例における各値は、以下のとおりである。
ｆ＝２０．３７３ 、ＦＮｏ＝５．６ 、 ｍ＝０．１１１０２、 Ｙ＝１５２．４ 、 ω＝３６．８°、ＢＦ＝１．４８３、 Ｌ＝３０．３６０、Ｒ´＝１．５８
矩形絞りの主走査方向の長さ：２Ｒ´＝３．１６
矩形絞りの副走査方向の長さ：πＲ´／２＝２．４８
【００４２】
実施例１における各パラメータ（ｊ、ｒ、ｄ、ｎｄ、νd、ne、硝材名）を表１に示す。
【表１】
0005910191.tif 000002
【００４３】
実施例１における各パラメータ（面番号、Ａ４、Ａ６、Ａ８、Ａ１０）を表２に示す。
【表２】
0005910191.tif 000003
【００４４】
＜実施例２＞
本実施例の構成図を第７図に、収差図を第８図に示す。本実施例における各値は、以下のとおりである。
ｆ＝２０．５０５、ＦＮｏ＝５．６、 ｍ＝０．１１１０２、 Ｙ＝１５２．４、 ω＝３６．６°ＢＦ＝３．５０３、 Ｌ＝２９．５５５、Ｒ´＝１．６３
矩形絞りの主走査方向の長さ：２Ｒ´＝３．２６
矩形絞りの副走査方向の長さ：πＲ´／２＝２．５６
【００４５】
実施例２における各パラメータ（ｊ、ｒ、ｄ、ｎｄ、νd、ne、硝材名）を表３に示す。
【表３】
0005910191.tif 000004
【００４６】
実施例２における各パラメータ（面番号、Ａ４、Ａ６、Ａ８、Ａ１０）を表４に示す。
【表４】
0005910191.tif 000005
【００５０】
表７は、条件式の値を示す。
【表７】
0005910191.tif 000006
【００５１】
＜画像読取装置の実施形態＞
本発明に係る画像読取装置は、原稿を照明する照明系と、前記照明系で照明された原稿の反射光を縮小結像させる結像レンズと、結像レンズで結像された原稿像を光電変換するラインセンサと、を備える画像読取装置において、前記結像レンズとして前記第１、第２又は第３の実施形態の画像読取レンズを用いることを特徴とする。
【００５２】
本発明に係る画像読取装置の実施の形態について、図１に基づいて説明する。
【００５３】
図１において、読み取られるべき画像を有する原稿２は原稿台としてのコンタクトガラス１上に平面的に定置される。コンタクトガラス１の下部には照明手段３が配置される。紙面に直交する方向に長い管灯照明手段としてのキセノンランプ、ハロゲンランプ等とリフレクタとで構成される照明手段を用い、紙面に直交する方向に長いスリット状部分が照明される。
【００５４】
原稿２の照明された部分の画像からの反射光は、順次Ｍ１、Ｍ２、Ｍ３、Ｍ４、Ｍ５の５枚の折返しミラーにより反射され、画像読取レンズ５により、光電変換素子としてのラインセンサ６の撮像面上に原稿画像の縮小像が結像される。
【００５５】
照明手段３、折り返しミラーＭ１、Ｍ２、Ｍ３、Ｍ４、Ｍ５、画像読取レンズ５及びラインセンサ６は、読取光学ユニット７として一体的に保持される。読取光学ユニット７は、図示されない駆動手段により、図の矢印方向である紙面側から見て右方向へ走行し、破線で示す位置まで変位して原稿全体の情報を読み取る。
【００５６】
撮像部であるラインセンサ６は、色分解手段として赤（Ｒ）、緑（Ｇ）、青（Ｂ）のフィルタを持った光電変換素子６Ａ、６Ｂ、６Ｃを、１チップに３列に配列させた３ラインのラインセンサ、所謂３ラインＣＣＤ（３ラインのラインセンサ）である。ラインセンサ６は、原稿２の照明走査に伴い、原稿画像を画像信号化する。このようにして原稿２の読み取りが実行され、原稿２のカラー画像は、赤（Ｒ）、緑（Ｇ）、青（Ｂ）の３原色に色分解されて読み取られる。
【００５７】
また、この画像読取装置は、画像をフルカラーで読み取る装置であって、画像読取レンズ５の結像光路中に設けられた色分解手段としての３ラインＣＣＤ６を有する。
【００５８】
なお、上述した色分解方式とは別の方式として、画像読取レンズ５とラインセンサ６としてのＣＣＤとの間に、色分解プリズムやフィルタを選択的に挿入し、Ｒ（赤）、Ｇ（緑）、Ｂ（青）に色分解する方法がある。また、Ｒ（赤）、Ｇ（緑）、Ｂ（青）の光源を順次点灯させて原稿を照明する方法等を用いることもできる。
【００５９】
また、結像光路中に色分解素子を有さず、原稿情報をモノクロとして読み取ることも可能である。本実施形態では、折り返しミラーの枚数を５枚として説明したが、折り返しミラーの枚数は、画像読取装置の形状等に応じて何枚でも良い。
【００６０】
以上説明した画像読取装置の実施形態によれば、結像レンズとして前記第１、第２又は第３の実施形態の画像読取レンズを用いることにより、原稿情報を良好に読み取ることが可能となり、画像読取装置を非常にコンパクトで低コストにすることができる。更に、材料の省資源化等地球環境の保全を達成することもできる。
【００６１】
＜画像読取装置の別の実施形態＞
本発明に係る画像読取装置の別の実施形態は、光学系の任意の光路内に色分解機能を有し、原稿情報をフルカラーで読み取ることを特徴とする。
【００６２】
以上説明した画像読取装置の実施形態によれば、光学系に色分解機能を有する画像読取装置において、軸上の色収差が良好に補正されたレンズを用いることで、フルカラーを良好な性能で読み取ることができる。更に、多機能化、高性能化を達成することもできる。
【００６３】
＜画像読取装置の更に別の実施形態＞
本発明に係る画像読取装置の更に別の実施形態は、照明系の光源がＬＥＤであることを特徴とする。
【００６４】
以上説明した画像読取装置の実施形態によれば、照明系の光源としてＬＥＤ光源を使用することにより、読取光学系の消費電力を低減することができる。更に、省エネを達成することもできる。
【００６５】
＜画像形成装置の実施形態＞
本発明に係る画像形成装置は、本発明に係る画像読取装置を備えていることを特徴とする。
【００６６】
本発明に係る画像形成装置の実施の形態について説明する。図１１は画像形成装置を説明するための図である。
【００６７】
図１１において、装置上部に位置する画像読取装置２００と、その下位に位置する画像形成部とを有する。画像読取装置２００は、上述した図１についての説明したものと同様のものであり、各部には図１と同じ符号を付してある。
【００６８】
画像読取装置２００における撮像手段としてのラインセンサ６から出力される画像信号は、画像処理部１２０に送られた後、画像処理部１２０において処理されて書込み用の信号であるイエロー（Ｙ）、マゼンタ（Ｍ）、シアン（Ｃ）、黒（Ｋ）の各色を書込むための信号に変換される。
【００６９】
画像形成部は、潜像担持体として円筒状に形成された光導電性の感光体１１０を有し、その周囲に、帯電手段としての帯電ローラ１１１、リボルバ式の現像装置１１３、転写ベルト１１４、クリーニング装置１１５が配設されている。なお、帯電手段としては帯電ローラ１１１に代えてコロナチャージャを用いることもできる。
【００７０】
光走査装置１１７は、信号処理部１２０から書込み用の信号を受けた後、帯電ローラ１１１と現像装置１１３との間において感光体１１０光走査を行う。
【００７１】
符号１１６は定着装置、符号１１８はカセット、符号１１９はレジストローラ対、符号１２２は給紙コロ、符号１２１はトレイ、符号Ｓは記録媒体としての転写紙を示す。
【００７２】
画像形成を行うときは、感光体１１０が時計回りに等速回転され、帯電ローラ１１１により感光体１１０の表面が均一帯電され、光走査装置１１７のレーザビームの光書込による露光を受けて静電潜像が形成される。形成された静電潜像は所謂ネガ潜像であって画像部が露光されている。この場合は、所謂反転現像ということになる。
【００７３】
トナー画像の書込みは、感光体１１０の回転に従い、イエロー画像、マゼンタ画像、シアン画像、黒画像の順に行われる。具体的には、形成された静電潜像はリボルバ式の現像装置１１３の各現像ユニットＹ（イエロートナーによる現像を行う）、Ｍ（マゼンタトナーによる現像を行う）、Ｃ（シアントナーによる現像を行う）、Ｋ（黒トナーによる現像を行う）により順次反転現像されることでポジ画像として可視化される。
【００７４】
得られた各色トナー画像は、転写ベルト１１４上に、転写電圧印加ローラ１１４Ａにより順次転写され、上記各色トナー画像が転写ベルト１１４上で重ね合わせられてカラー画像となる。
【００７５】
転写紙Ｓを収納したカセット１１８は、画像形成装置本体に脱着可能である。図１１に示す通り、カセット１１８は、装着された状態で、収納された転写紙Ｓの最上位の１枚が給紙コロ１２２により給紙される。給紙された転写紙Ｓは、その先端部をレジストローラ対１１９に捕えられる。
【００７６】
レジストローラ対１１９は、転写ベルト１１４上のトナーによるカラー画像が転写位置へ移動するのにタイミングを合わせて転写紙Ｓを転写部へ送り込む。送り込まれた転写紙Ｓは、転写部においてカラー画像と重ね合わせられ、転写ローラ１１４Ｂの作用によりカラー画像を静電転写される。転写ローラ１１４Ｂは、転写時に転写紙Ｓをカラー画像に押圧させる。
【００７７】
カラー画像を転写された転写紙Ｓは、定着装置１１６へ送られ、定着装置１１６においてカラー画像が定着され、図示されないガイド手段による搬送路を通り、図示されない排紙ローラ対によりトレイ１２１上に排出される。各色トナー画像が転写される毎に、感光体１１０の表面はクリーニング装置１１５によりクリーニングされ、残留トナーや紙粉等が除去される。
【００７８】
以上説明した実施形態によれば、本発明に係る画像読取装置を具備することにより、良好な読み取り画像品質を基づいて画像を形成するため、高画質を出力する画像形成装置の低コスト化を実現することができる。
【先行技術文献】
【特許文献】
【００７９】
【特許文献１】特許第３８６２４４６号明細書
【特許文献２】特開２００２−２４４０３３号公報
【特許文献３】特許第３９３９９０８号明細書
【特許文献４】特許第４４９６２３１号明細書
【符号の説明】
【００８０】
１  コンタクトガラス
２  原稿
３  照明手段
５  画像読取レンズ
６  ラインセンサ
７  読取光学ユニット
１０  第１群
２０  第２群
３０  第３群
４０  第４群
５０  第５群
６０  第６群
１１０  感光体
１１１  帯電ローラ
１１３  現像装置
１１４  転写ベルト
１１５  クリーニング装置
１１６  定着装置
１１７  光走査装置
１１８  カセット
１１９  レジストローラ対
１２０  信号処理部
１２１  トレイ
１２２  給紙コロ
Ｍ１、Ｍ２、Ｍ３、Ｍ４、Ｍ５  折り返しミラー
Ｎ１  第１レンズ
Ｎ２  第２レンズ
Ｎ３  第３レンズ
Ｎ４  第４レンズ
Ｎ５  第５レンズ
Ｎ６  第６レンズ
Ｎｃ３  カバーガラス
【図１】
0005910191.tif 000007
【図２】
0005910191.tif 000008
【図３】
0005910191.tif 000009
【図４】
0005910191.tif 000010
【図５】
0005910191.tif 000011
【図６】
0005910191.tif 000012
【図７】
0005910191.tif 000013
【図８】
0005910191.tif 000014
【図９】
0005910191.tif 000015